(57)【要約】【課題】ウェブ管理者端末とウェブカメラを接続しウェブカメラの映像からホームページに利用する画像を取得し、ウェブ上で画像処理を可能としホームページを作成する。【解決手段】ウェブカメラをウェブ管理者端末に接続し、ウェブ管理者端末からインターネットを介してウェブサーバの画像処理・画像取得システムのホームページアドレスにアクセスし、ウェブ管理者端末のウェブブラウザのプログラム格納部に画像処理・画像取得プログラムを格納し、画像取得・画像調整操作画面をウェブブラウザの画面上に表示し、該画面上にウェブカメラの連続再生される画像を表示し、ウェブ管理者端末のウェブブラウザ上でウェブカメラの映像表示と画像調整と画像取得を可能としてウェブサーバ内に画像付きのホームページデータを登録可能とする。【選択図】図１
2009025912.tif 000002
【特許請求の範囲】
【請求項１】
ウェブカメラと該ウェブカメラに接続されたウェブ管理者端末と、該ウェブ管理者端末とウェブサーバとがインターネット通信回線に接続されて成るウェブカメラ画像取得ホームページ作成・更新システムであって、
前記ウェブカメラは、ホームページ作成において画像として利用する被写体を撮影し、該撮影中の被写体画像の連続再生である映像を前記ウェブ管理者端末に送信し、
前記ウェブ管理者端末は、入力部とウェブブラウザ部を有し、
該入力部は、前記ウェブカメラの撮影中の画像の連続再生である被写体映像を受信し、
該ウェブブラウザ部は、ウェブブラウザの操作を可能とするウェブブラウザ操作部と文字や画像や画像の連続再生される映像やプログラム操作機能イメージや文字入力枠を表示するウェブ表示部と該ウェブブラウザ部で稼動するプログラムを格納するプログラム格納部とを有し、
前記ウェブサーバは、ウェブデータ入出力部とウェブアドレスデータ・認識部とウェブデータプログラム処理部とウェブデータ格納部と画像取得・画像処理システム部を有し、
前記ウェブデータ入出力部は、前記ウェブ管理者端末と前記複数の利用者端末からのインターネット回線を通して送受信するデータの入出力を可能とし、
前記ウェブアドレスデータ・認識部は、前記ウェブデータ格納部に格納されるホームページのアドレスデータを記憶し、前記ウェブ管理者端末と前記複数の利用者端末からインターネット回線を介して入力されるホームページアドレスを認識し、
前記ウェブデータプログラム処理部は、前記ウェブ管理者端末からインターネット回線を介して送信される画像と文字をホームページデータとして処理し、
前記ウェブデータ格納部は、該ホームページデータを格納し、
前記画像取得・画像処理システム部は、前記ウェブ管理者端末の前記ウェブブラウザ部で稼働する画像処理・画像取得プログラムを格納し、
ウェブ管理者が前記ウェブ管理者端末から、前記ウェブサーバの画像処理・画像取得システムのホームページアドレスにアクセスすると、
前記ウェブサーバの前記画像取得・画像処理システム部から、前記画像処理・画像取得プログラムが前記ウェブ管理者端末の前記ウェブブラウザ部のプログラム格納部にインターネット通信回線を介して格納され、
同時に該画像処理・画像取得プログラムが起動し、
前記ウェブ表示部に映像表示部と画像処理部と画像取得部とを表示し、
前記映像表示部は、前記ウェブ管理者端末に接続された前記ウェブカメラの撮影中の被写体映像を連続再生される画像として表示することを可能とし、
前記画像処理部は、該映像表示部に表示された連続再生される画像を画像処理することを可能とし、
前記画像取得部は、前記画像処理部で画像処理した連続再生される画像のうちのホームページに利用するための一の画像をホームページ表示が可能な画像規格として画像取得し、該画像取得と同時に該画像取得した取得画像を前記ウェブサーバにインターネットを介して画像送信することを可能とし、
前記ウェブサーバの前記ウェブデータ入出力部で前記ウェブ管理者端末の前記画像取得部から送信された取得画像を受信し、該取得画像を前記ウェブデータプログラム処理部へ送信し、
該ウェブデータプログラム処理部で該画像をホームページデータとして処理し、該ホームページデータとして処理した画像を前記ウェブデータ格納部に格納し、
該ホームページデータとして処理した画像をインターネット利用者がホームページとして閲覧することを可能とするウェブカメラ画像取得ホームページ作成・更新システム。
【請求項２】
前記ウェブデータプログラム処理部は、
前記ウェブ管理者端末のウェブブラウザ部のウェブ表示部の前記画像取得部で、画像取得した前記取得画像を、
前記ウェブサーバの前記ウェブデータ入出力部を介して、該ウェブデータプログラム処理部で該取得画像を受信し、該取得画像にウェブ表示が可能なファイル名を付加し、該ファイル名を付加した画像データを前記ウェブデータ格納部に送信し格納することを可能とする前記請求項１に記載のウェブカメラ画像取得ホームページ作成・更新システム。
【請求項３】
前記ウェブデータプログラム処理部は、
前記ウェブ管理者端末のウェブブラウザ部のウェブ表示部の前記画像取得部で、画像取得した前記取得画像を、
前記ウェブサーバの前記ウェブデータ入出力部を介して、該ウェブデータプログラム処理部で該取得画像を受信し、
該取得画像にウェブ表示が可能なファイル名を付加し、
該ファイル名を付加した画像データをウェブ表示可能とするウェブプログラムを生成し、
前記ウェブ管理者端末に該プログラムを送信し、前記ウェブ管理者端末のウェブブラウザ部のウェブ表示部にウェブページを表示する事を可能とし、
前記ウェブ管理者端末で該ウェブ表示部に表示されるウェブページ上で文字入力を可能とし、
前記ウェブプログラムに該文字入力した文字データを挿入し、文字データを挿入したウェブプログラムを
前記ウェブサーバの前記ウェブデータ入出力部を介して、該ウェブデータプログラム処理部へ送信し、該文字データを挿入したウェブプログラムを前記ウェブデータ格納部に格納することを可能とする前記請求項１〜２のいずれかに記載のウェブカメラ画像取得ホームページ作成・更新システム。
【請求項４】
前記画像処理・画像取得プログラムは、
前記ウェブカメラの画像の連続再生である映像を前記ウェブ管理者端末の前記ウェブブラウザ部のウェブ表示部に連続画像表示することを可能とする映像表示プログラムと、
前記ウェブブラウザ部のウェブ表示部に前記映像表示プログラムによって画像表示された連続再生される画像の画像解像度を調整することを可能とする画像解像度調整プログラムと該画像の明暗を調整可能とする画像明暗調整プログラムと該画像の画像範囲指定とサイズ調整を調整可能とする画像範囲指定・サイズ調整プログラムと該画像のコントラストを調整可能とする画像コントラスト調整プログラムと該画像の彩度を調整可能とする画像彩度調整プログラムと該画像のシャープを調整可能とする画像シャープ調整プログラムとを有する画像処理プログラム部と、
前記ウェブブラウザ部のウェブ表示部に画像表示され、前記画像処理プログラム部で画像処理された画像をホームページに表示可能とするホームページ画像規格への変換と画像データの圧縮と画像取得と画像取得された取得画像を前期ウェブサーバに送信することを可能とする画像取得プログラムとで構成され、
前記ウェブ管理者端末から通信を介して前記ウェブサーバの画像処理・画像取得システムのホームページアドレスにアクセスした場合に、前記ウェブサーバの前記画像取得・画像処理システム部から、該ウェブ管理者端末のウェブブラウザ部のプログラム格納部に通信を介して格納され、同時に該ウェブ管理者端末のウェブブラウザ部上でプログラム稼動することを可能とする前記請求項１〜３のいずれかに記載のウェブカメラ画像取得ホームページ作成・更新システム。
【請求項５】
前記画像解像度調整プログラムは、前記ウェブ管理者端末のウェブブラウザ部のウェブ表示部に表示される画像解像度調整操作イメージを調整操作することによって、該ウェブ表示部の映像表示部の連続再生する画像の画像表示画面サイズが拡大・縮小され、該連続再生する画像の画像表示画面サイズが拡大・縮小によって、画像解像度を調整することを可能とする前記請求項１〜４のいずれかに記載のウェブカメラ画像取得ホームページ作成・更新システム。
【請求項６】
前記画像範囲指定・サイズ調整プログラムは、前記ウェブ管理者端末のウェブブラウザ部の画像表示画面上の画像の任意の範囲をマウスで囲い込み指定することによって、任意の範囲の画像と任意のサイズの画像を取得可能とし、また、前記ウェブブラウザ部のウェブ表示部に表示される縦サイズと横サイズの数値入力枠にサイズ数値を入力することによって入力した数値のサイズの画像を取得することを可能とする前記請求項１〜５のいずれかに記載のウェブカメラ画像取得ホームページ作成・更新システム。
【請求項７】
前記画像処理プログラムは、レイヤー表示プログラム部と文字挿入処理プログラム部と画像色塗り処理プログラム部と画像・レイヤー表示統合プログラム部とを有する画像色塗り・文字挿入プログラムを有し、
該レイヤー表示プログラム部は、前記ウェブブラウザ部のウェブ表示部に画像表示された連続再生される画像再生画面上にレイヤー表示することを可能とするプログラムであり、
該文字挿入処理プログラム部は、該画像再生画面上のレイヤー表示に文字を挿入することを可能とするプログラムであり、
該画像色塗り処理プログラム部は、該画像再生画面上のレイヤー表示上で、前記ウェブ表示部に画像表示された連続再生される画像上の色塗りを可能とするプログラムであり、
該画像・レイヤー表示統合プログラム部は、前記画像再生画面上の画像とレイヤー表示を統合する画像処理を可能とするプログラムであり、
前記画像取得部で画像取得の操作が行われた場合、前記画像再生画面上の画像と該画像の文字挿入や色塗りされたレイヤー表示を統合し画像取得を可能とする前記請求項１〜６のいずれかに記載のウェブカメラ画像取得ホームページ作成・更新システム。
【発明の詳細な説明】
【技術分野】
【０００１】
本発明は、ウェブカメラをウェブ管理者端末に接続し、ウェブ管理者端末からウェブサーバの画像処理・画像取得システムのホームページアドレスにアクセスし、
ウェブ管理者端末のウェブブラウザのプログラム格納部に画像取得・画像調整を可能とする画像処理・画像取得プログラムを格納し、画像取得・画像調整可能とする操作画面をウェブブラウザの画面上に表示し、該画面上にウェブカメラの連続再生される画像を表示し、ウェブ管理者端末のウェブブラウザ上で画像調整と画像取得を可能としてウェブサーバ内に画像付きのホームページデータを作成可能とするホームページ作成システムに関するものである。なお、本願の明細書及び図面中では、「ウェブ」を「Ｗｅｂ」（World Wide Webの略称）、「ホームページ」を「ウェブページ」、「ホームページアドレス」を「URL」とも記載する。
【背景技術】
【０００２】
近年、インターネット等の通信回線が発達した社会において、行政、各種団体、企業、個人等においてホームページの発信が盛んに行われている。
写真等画像付きのホームページを作成・更新する方法としては、ホームページを個別HTMLのタグ打ちにより作成し、画像とHTMLデータをFTPにより、サーバに送信して発信する方法とサーバにプログラムを作成し、文字入力とパソコンの画面上から画像を選択し、送信する方法（コンテンツマネジメントシステム）とが利用されている。
上記の方法においては、ホームページに利用する画像を取得する方法として、デジタルカメラ等の画像撮影機器で商品を撮影し、その画像データを直接パソコン等コンピューターに接続し、保存する方法又はその撮影機器の電磁的記録媒体に保存された画像データを電磁的記録媒体用のコンピューター接続によりコンピューターに接続し、コンピューターに保存する方法、又は、既に紙媒体等に印刷された写真をスキャナーで読み取り、スキャナーに接続されたパソコンに保存するという方法とが利用されている。
また、画像を処理する方法としては、上記の方法により取得した画像を予めパソコンにインストールされている画像処理ソフトで、画像のサイズや解像度、明暗、彩度、ホームページ発信画像規格への圧縮等の画像処理を行う必要がある。
【０００３】
さらに、インターネットを介してウェブカメラによるライブ映像をWeb表示するカメラシステムは、既に会議システムや個人の会話コミュニケーション、観光案内や防犯等の監視システムや店舗内の映像を見ながら買い物をする店舗システムとして利用されている。
【発明の開示】
【発明が解決しようとする課題】
【０００４】
しかしながら、上記の従来のWebサーバに画像を含む商品データベースを構築する方法では、都度デジタルカメラ等の撮影機材で画像データを取得し、そのデータをパソコン等の画像処理端末に画像データを保存し、画像処理ソフトで画像調整やホームページ発信画像規格への圧縮等の画像処理を行い、ホームページの内容文章と作成した画像データを付加したホームページデータを作成してウェブサーバにデータ転送する作業が発生する。Webサーバにプログラムにより自動的に画像データと商品説明文章を転送する方法（CGI: Common Gateway Interface）も利用されているが、画像データを作成する作業工程は変わらないものであり、都度面倒な作業が発生するとともに、撮影機材や画像処理ソフトの利用技術の知識を要し容易にできるものではない。
また、現在のデジタルカメラ等の画像撮影機材は、画像データの取得と画像サイズ調整や画質調整や画像圧縮等の画像加工処理と文章入力とWebサーバへのデータ転送を一括した作業として行なうことができない。
【０００５】
ところで、現在、利用されているウェブカメラシステムは、ライブ中継されている映像をWeb表示画面上に動画映像として表示することが可能である。また、ライブ中継されている映像をパソコン上で動画映像から静止画データを生成しパソコン上に保存することを可能とするソフトも存在する。しかしながら、これらの方法では、静止画データの取得と画像サイズ調整と画質調整と文章入力とWebサーバへのデータ転送を一括して行なうことができない。
【０００６】
即ち、従来の写真等画像付きのホームページを作成・更新する方法では、画像データの取得と画像サイズ調整や画質調整や画像圧縮等の画像加工処理と文章入力とウェブサーバへのホームページデータ転送作業工程は、システム上において連動していないため非効率な作業を行なわなければならなかった。また、従来の方法では、中小・零細事業者においては、デジタルカメラの複雑な使用方法や、画像処理ソフトの使用方法を習得しなければならず、八百屋や魚屋、寿司屋等の零細事業者では外部に委託しなければならないという問題があった。また、写真等画像付きのホームページは、日々のデータの追加や修正作業が頻繁に発生し中小商業者では容易に管理できないという問題があった。
【０００７】
そこで、本発明では、ウェブカメラをウェブ管理者端末に接続し、ウェブ管理者端末からインターネットを介してウェブサーバの一のホームページ作成・更新ページのアドレスにアクセスし、ウェブ管理者端末のウェブブラウザのプログラム格納部に映像表示と画像調整と画像取得を可能とする画像処理・画像取得プログラムを格納し、画像調整と画像取得を可能とする操作画面をウェブブラウザの画面上に表示し、該画面上にウェブカメラの連続再生される画像を表示し、ウェブ管理者端末のウェブブラウザ上で映像表示と画像調整と画像取得を可能としてウェブサーバ内に画像付きのホームページデータを作成可能とすることにより、写真等画像付きのホームページを作成・更新する作業工程において、画像の取得と画像調整・圧縮とホームページ内容文章入力とその処理した画像と文章とのホームページデータをウェブサーバへの登録とを、一貫したシステムとすることにより上記従来の問題を解決することを目的とする。
【０００８】
さらに、ウェブブラウザ上に表示されたの画像データ処理機能に画像画質調整機能やレイヤー表示機能や画像データとレイヤー表示を統合する機能を付加することにより、従来画像処理専用ソフトでなければ不可能であった画像画質調整や画像サイズ調整や画像への文字挿入や色塗りの画像加工処理をWebサーバシステムで可能にすることを目的とする。
【０００９】
ところで、前記発明が解決しようとする課題を解決する手段として特願「2004-275264ウェブカメラ画像自動取得商品データベース作成ウェブサーバシステム」があるが、次の点で本特許出願と、システム設計及び利用方法が大きく異なる。
（１）該特願2004-275264は、ライブカメラは、インターネットを介してライブカメラ管
理者が制御を可能とするサーバ機能を有しているが本願におけるウェブカメラは、
インターネット介して制御を可能とするサーバ機能を有していない。つまり、ウ
ェブカメラがインターネット接続機能を有していない場合のシステム設計である。
（２）該特願2004-275264は、ウェブサーバとライブカメラがインターネットを介して接
続されているが、本願では、ウェブサーバとウェブカメラは、直接接続されておら
ず、ウェブカメラは、ウェブ管理者端末とUSB接続等で接続されているシステム構
造である。本願は、ウェブカメラがウェブサーバが接続機能を有していない場合の
システム設計である。
（３）該特願2004-275264は、映像取得と画像処理を行う映像取得部と商品画像処理部が
ウェブサーバにありプログラムが該ウェブサーバサーバ内で稼動するが、本願では、  
ウェブサーバにある画像処理・画像取得プログラムがインターネットの接続により、
ウェブサーバからウェブ管理者端末のウェブブラウザに格納され、ウェブ管理者端
末のウェブブラウザ上で稼動するシステムである。
【課題を解決するための手段】
【００１０】
本発明は上記課題を解決するために、
ウェブカメラと該ウェブカメラに接続されたウェブ管理者端末と、該ウェブ管理者端末とウェブサーバとがインターネット通信回線に接続されて成るウェブカメラ画像取得ホームページ作成・更新システムであって、
前記ウェブカメラは、ホームページ作成において画像として利用する被写体を撮影し、該撮影中の被写体画像の連続再生である映像を前記ウェブ管理者端末に送信し、
前記ウェブ管理者端末は、入力部とウェブブラウザ部を有し、
該入力部は、前記ウェブカメラの撮影中の画像の連続再生である被写体映像を受信し、
該ウェブブラウザ部は、ウェブブラウザの操作を可能とするウェブブラウザ操作部と文字や画像や画像の連続再生される映像やプログラム操作機能イメージや文字入力枠を表示するウェブ表示部と該ウェブブラウザ部で稼動するプログラムを格納するプログラム格納部とを有し、
前記ウェブサーバは、ウェブデータ入出力部とウェブアドレスデータ・認識部とウェブデータプログラム処理部とウェブデータ格納部と画像取得・画像処理システム部を有し、
前記ウェブデータ入出力部は、前記ウェブ管理者端末と前記複数の利用者端末からのインターネット回線を通して送受信するデータの入出力を可能とし、
前記ウェブアドレスデータ・認識部は、前記ウェブデータ格納部に格納されるホームページのアドレスデータを記憶し、前記ウェブ管理者端末と前記複数の利用者端末からインターネット回線を介して入力されるホームページアドレスを認識し、
前記ウェブデータプログラム処理部は、前記ウェブ管理者端末からインターネット回線を介して送信される画像と文字をホームページデータとして処理し、
前記ウェブデータ格納部は、該ホームページデータを格納し、
前記画像取得・画像処理システム部は、前記ウェブ管理者端末の前記ウェブブラウザ部で稼働する画像処理・画像取得プログラムを格納し、
ウェブ管理者が前記ウェブ管理者端末から、前記ウェブサーバの画像処理・画像取得システムのホームページアドレスにアクセスすると、
前記ウェブサーバの前記画像取得・画像処理システム部から、前記画像処理・画像取得プログラムが前記ウェブ管理者端末の前記ウェブブラウザ部のプログラム格納部にインターネット通信回線を介して格納され、
同時に該画像処理・画像取得プログラムが起動し、
前記ウェブ表示部に映像表示部と画像処理部と画像取得部とを表示し、
前記映像表示部は、前記ウェブ管理者端末に接続された前記ウェブカメラの撮影中の被写体映像を連続再生される画像として表示することを可能とし、
前記画像処理部は、該映像表示部に表示された連続再生される画像を画像処理することを可能とし、
前記画像取得部は、前記画像処理部で画像処理した連続再生される画像のうちのホームページに利用するための一の画像をホームページ表示が可能な画像規格として画像取得し、該画像取得と同時に該画像取得した取得画像を前記ウェブサーバにインターネットを介して画像送信することを可能とし、
前記ウェブサーバの前記ウェブデータ入出力部で前記ウェブ管理者端末の前記画像取得部から送信された取得画像を受信し、該取得画像を前記ウェブデータプログラム処理部へ送信し、
該ウェブデータプログラム処理部で該画像をホームページデータとして処理し、該ホームページデータとして処理した画像を前記ウェブデータ格納部に格納し、
該ホームページデータとして処理した画像をインターネット利用者がホームページとして閲覧することを可能とすることを特徴とする。
【００１１】
前記ウェブデータプログラム処理部は、
前記ウェブ管理者端末のウェブブラウザ部のウェブ表示部の前記画像取得部で、画像取得した前記取得画像を、
前記ウェブサーバの前記ウェブデータ入出力部を介して、該ウェブデータプログラム処理部で該取得画像を受信し、該取得画像にウェブ表示が可能なファイル名を付加し、該ファイル名を付加した画像データを前記ウェブデータ格納部に送信し格納することを可能とすることを特徴とする。
【００１２】
前記ウェブデータプログラム処理部は、
前記ウェブ管理者端末のウェブブラウザ部のウェブ表示部の前記画像取得部で、画像取得した前記取得画像を、
前記ウェブサーバの前記ウェブデータ入出力部を介して、該ウェブデータプログラム処理部で該取得画像を受信し、
該取得画像にウェブ表示が可能なファイル名を付加し、
該ファイル名を付加した画像データをウェブ表示可能とするウェブプログラムを生成し、
前記ウェブ管理者端末に該プログラムを送信し、前記ウェブ管理者端末のウェブブラウザ部のウェブ表示部にウェブページを表示する事を可能とし、
前記ウェブ管理者端末で該ウェブ表示部に表示されるウェブページ上で文字入力を可能とし、
前記ウェブプログラムに該文字入力した文字データを挿入し、文字データを挿入したウェブプログラムを
前記ウェブサーバの前記ウェブデータ入出力部を介して、該ウェブデータプログラム処理部へ送信し、該文字データを挿入したウェブプログラムを前記ウェブデータ格納部に格納することを可能とすることを特徴とする。
【００１３】
前記画像処理・画像取得プログラムは、
前記ウェブカメラの画像の連続再生である映像を前記ウェブ管理者端末の前記ウェブブラウザ部のウェブ表示部に連続画像表示することを可能とする映像表示プログラムと、
前記ウェブブラウザ部のウェブ表示部に前記映像表示プログラムによって画像表示された連続再生される画像の画像解像度を調整することを可能とする画像解像度調整プログラムと該画像の明暗を調整可能とする画像明暗調整プログラムと該画像の画像範囲指定とサイズ調整を調整可能とする画像範囲指定・サイズ調整プログラムと該画像のコントラストを調整可能とする画像コントラスト調整プログラムと該画像の彩度を調整可能とする画像彩度調整プログラムと該画像のシャープを調整可能とする画像シャープ調整プログラムとを有する画像処理プログラム部と、
前記ウェブブラウザ部のウェブ表示部に画像表示され、前記画像処理プログラム部で画像処理された画像をホームページに表示可能とするホームページ画像規格への変換と画像データの圧縮と画像取得と画像取得された取得画像を前期ウェブサーバに送信することを可能とする画像取得プログラムとで構成され、
前記ウェブ管理者端末から通信を介して前記ウェブサーバの画像処理・画像取得システムのホームページアドレスにアクセスした場合に、前記ウェブサーバの前記画像取得・画像処理システム部から、該ウェブ管理者端末のウェブブラウザ部のプログラム格納部に通信を介して格納され、同時に該ウェブ管理者端末のウェブブラウザ部上でプログラム稼動することを可能とすることを特徴とする。
【００１４】
前記画像解像度調整プログラムは、前記ウェブ管理者端末のウェブブラウザ部のウェブ表示部に表示される画像解像度調整操作イメージを調整操作することによって、該ウェブ表示部の映像表示部の連続再生する画像の画像表示画面サイズが拡大・縮小され、該連続再生する画像の画像表示画面サイズが拡大・縮小によって、画像解像度を調整することを可能とすることを特徴とする。
【００１５】
前記画像範囲指定・サイズ調整プログラムは、前記ウェブ管理者端末のウェブブラウザ部の画像表示画面上の画像の任意の範囲をマウスで囲い込み指定することによって、任意の範囲の画像と任意のサイズの画像を取得可能とし、また、前記ウェブブラウザ部のウェブ表示部に表示される縦サイズと横サイズの数値入力枠にサイズ数値を入力することによって入力した数値のサイズの画像を取得することを可能とすることを特徴とする。
【００１６】
前記画像処理プログラムは、レイヤー表示プログラム部と文字挿入処理プログラム部と画像色塗り処理プログラム部と画像・レイヤー表示統合プログラム部とを有する画像色塗り・文字挿入プログラムを有し、
該レイヤー表示プログラム部は、前記ウェブブラウザ部のウェブ表示部に画像表示された連続再生される画像再生画面上にレイヤー表示することを可能とするプログラムであり、
該文字挿入処理プログラム部は、該画像再生画面上のレイヤー表示に文字を挿入することを可能とするプログラムであり、
該画像色塗り処理プログラム部は、該画像再生画面上のレイヤー表示上で、前記ウェブ表示部に画像表示された連続再生される画像上の色塗りを可能とするプログラムであり、
該画像・レイヤー表示統合プログラム部は、前記画像再生画面上の画像とレイヤー表示を統合する画像処理を可能とするプログラムであり、
前記画像取得部で画像取得の操作が行われた場合、前記画像再生画面上の画像と該画像の文字挿入や色塗りされたレイヤー表示を統合し画像取得を可能とすることを特徴とする。
【発明の効果】
【００１７】
上記構成の本発明に係るウェブカメラ画像取得ホームページ作成・更新システムは、次のような効果を奏する。
（１）画像を含むホームページデータをウェブサーバにアップする場合に、ホームページに利用する画像の取得、画像調整と画像圧縮とホームページ文章入力とウェブサーバへのホームページデータの登録作業工程を一貫したシステムとしてウェブ管理者端末のウェブブラウザの表示画面上で一括処理することが可能となり、作業時間の短縮により効率的なホームページの作成と更新管理が可能となる。
【００１８】
（２） デジタルカメラ等静止画取得機材や専用の画像処理ソフトやファイル転送ソフトの利用がなくなるため、それぞれの利用技術の知識修得がない場合でも容易に画像を含むホームページデータの作成が可能となり、専門的な情報技術のない中小・零細事業者でも頻繁に更新することが可能となる。
【００１９】
（３） ウェブカメラは、インターネット回線に接続されている必要はないため、ウェブカメラをインターネットを介して制御するサーバ機能は必要とせず、会議用のビデオチャットカメラやウェブカメラ機能付きのホームビデオでも利用することが可能となり、高額なウェブカメラやウェブカメラのネットワーク構築を必要とせず、低価格で容易にシステム構築が可能となる。また、会議用のビデオチャットカメラやウェブカメラ機能付きのホームビデオは、持ち運びが容易であるためモバイル通信が可能なノートパソコンを利用する場合には作業場所が制限されない。
【発明を実施するための最良の形態】
【００２０】
本発明に係るウェブカメラ画像取得ホームページ作成・更新システムを実施するための最良の形態を実施例に基づき図面を参照して、以下説明する。
【実施例１】
【００２１】
（構成）
本発明に係るウェブカメラ画像取得ホームページ作成・更新システムの実施例１を図１〜図１０により説明する。図１は、本発明に係るウェブカメラ画像取得ホームページ作成・更新システムの全体構成を示すブロック図である。本発明に係るウェブカメラ画像取得ホームページ作成・更新システムは、ウェブ管理者がホームページデータを登録するウェブサーバ３とウェブ管理者端末２と複数の利用者端末４がインターネット回線１を介して接続されており、該ウェブ管理者端末２の入力部とウェブカメラの出力部がホームページを作成・更新する作業場所においてネットワーク接続されて構成される。
【００２２】
本発明に係るウェブカメラ画像取得ホームページ作成・更新システムは、その概要としては、
ウェブ管理者がウェブ管理者端末２で、ウェブカメラ５からホームページに利用する画像を取得しホームページ作成やホームページの更新をするために、ウェブサーバ３の画像処理・画像取得システムのホームページアドレスにアクセスすると、ウェブサーバ３の画像取得・画像処理システム部１９から、画像処理・画像取得プログラム１５が、ウェブ管理者端末２のウェブブラウザ部６のプログラム格納部１４にインターネット通信回線を介して格納され、同時にプログラム格納部１４に格納された画像処理・画像取得プログラム１５が起動して、ウェブ表示部７に映像表示部８と画像処理部９と画像取得部１０とを表示し、ウェブ管理者端末２に接続されたウェブカメラ５の撮影中の被写体映像が連続再生される画像として映像表示部８に表示され、映像表示部８に表示された連続再生される画像を画像処理部９でホームページに利用する画像として画像処理して、画像取得部１０でホームページに表示するための一の画像をホームページ表示が可能な画像規格として画像圧縮取得して、同時に取得画像をウェブサーバ３にインターネットを介して送信し、ウェブサーバ３のウェブデータ入出力部１７で受信し、画像をウェブデータプログラム処理部２０へ送信し、ウェブデータプログラム処理部２０で画像をホームページデータとして処理し、ホームページデータをウェブデータ格納部２1に格納し、複数の利用者が利用者端末４から、一のアドレスのホームページにアクセスすると画像をホームページとして閲覧することを可能とするシステムである。
【００２３】
本発明の適用できるホームページ作成更新作業は、画像取得を伴うホームページの作成や更新作業であって、作業者は、ホームページの作成や更新を行うホームページの作成管理者であって、作業場所は、ホームページに利用する画像の被写体とインターネットに接続可能なウェブ管理者端末と該端末をウェブカメラに接続可能な場所であれば、物の販売やサービスを提供するする店舗や事務所や自宅、会社や行政機関や様々な施設の建物内や車や電車等の乗り物内や公園等の野外でもあっても可能である。
【００２４】
また、ウェブカメラ画像取得ホームページ作成・更新システムは、ホームページ作成更新作業者の有するウェブサーバで機能するシステムばかりでなく、レンタルサーバサービスを運営する事業者のレンタルウェブサーバやショッピングサイトやオークションサイトにおいて該ショッピングやオークションのためのページサービスを利用者に提供する運営事業者のウェブサーバの場合のように、ウェブサーバ管理者とウェブ管理者端末の管理者が異なるシステムとして、ウェブカメラ画像取得ホームページ作成・更新システムをサービス事業に適用するシステムとして構築しても良い。
【００２５】
本実施例１では、ホームページの作成や更新作業を物を販売する店舗の一例として、八百屋の店舗で説明する。以下、本発明に係るウェブカメラ画像取得ホームページ作成・更新システムを構成する装置について、それぞれその構成を説明する。
【００２６】
端末：
ウェブ管理者端末２及び利用者端末４は、それぞれ通常のパソコンが利用され、入力部、出力部、ＣＰＵ、記憶部、表示部（液晶表示装置、ＣＲＴ等）、入力機器（マウス、キーボード、ペン等）、出力機器（プリンタ等）等を有している。
【００２７】
ウェブ管理者端末２は、
ウェブ管理者がウェブ管理者端末２から、一のホームページの作成や更新するために後述するウェブサーバ３の画像処理・画像取得システムのホームページアドレスにアクセスすると、ウェブサーバ３の画像取得・画像処理システム部１９から、画像処理・画像取得プログラム１５が、ウェブ管理者端末２のウェブブラウザ部６のプログラム格納部１４にインターネット通信回線を介して格納され、同時にプログラム格納部１４に格納された画像処理・画像取得プログラム１５が起動して、ウェブ表示部７に映像表示部８と画像処理部９と画像取得部１０とを表示し、ウェブ管理者端末２に接続された後述するウェブカメラ５の撮影中の被写体映像が連続再生される画像として映像表示部８に表示され、映像表示部８に表示された連続再生される画像を画像処理部９でホームページに利用する画像として画像処理して、画像取得部１０でホームページに利用するための一の画像をホームページ表示が可能な画像規格として画像圧縮取得して、同時に取得した画像をウェブサーバ３にインターネットを介して送信し、ウェブデータプログラム処理部２０でホームページデータとして処理し、該ホームページデータをウェブサーバ３のウェブデータ格納部２１に格納することを可能とする。
【００２８】
ここで、図１におけるウェブ管理者端末２のウェブブラウザ部６は、World Wide Webでハイパーテキストのリンクを辿りながらウェブページを表示するソフトウェアのことであり、ウェブブラウザ（インターネットブラウザ、WWWブラウザ）と呼ばれるものであり、Internet Explorer やFirefoxやOperaやSafari等の種類があるが種類は問わない。
また、ウェブ表示部７やプログラム格納部１４やウェブブラウザ操作部１３は、ウェブブラウザの機能である。
【００２９】
なお、実施例１では、ウェブ管理者端末１台、ウェブサーバ１台として事例説明しているが、レンタルサーバサービスを運営する事業者のレンタルウェブサーバやショッピングサイトやオークションサイトにおいて該ショッピングやオークションのためのページサービスを利用者に提供する運営事業者のウェブサーバの場合のように、ウェブサーバ管理者とウェブ管理者端末の管理者が異なるシステムとして、ウェブカメラ画像取得ホームページ作成・更新システムをサービス事業に適用するシステムとして設計する場合には、ウェブ管理者端末が複数台になることは言うまでもない。
【００３０】
なお、後述するウェブカメラ５は、ウェブカメラの映像をウェブ管理者端末２のウェブブラウザの表示部に表示可能な映像の取り込み接続方式で接続されており、ウェブカメラ５とウェブ管理者端末２は、同一作業場所にある。
【００３１】
また、ウェブ管理者端末２の設置場所は、それぞれの店舗や店舗事務所内が通常と考えられるが、必ずしも店舗や店舗事務所内に設置する必要はなく、店舗外でもよい。店舗外としては、例えば、店舗を所有又は管理する者の別の場所にある倉庫や事務所や自宅や野外展示場や市場や営業車内等である。又、多数の店舗を管理する事務所にウェブ管理者端末２が設置される場合もある。よって、本発明でウェブ管理者端末２とは、例えば、店舗や店舗事務所内と別の場所にあるウェブ管理者端末やウェブ管理者が持ち歩くノートパソコンやパソコン機能を持つ家電やPDA端末等も含む。
【００３２】
ウェブカメラ：
ウェブカメラ５は、図１のようにウェブ管理者端末２の入力部に映像の取り込み接続方式によって接続され、ホームページの画像に利用する被写体を映し出し、被写体画像の連続する映像をウェブ管理者端末２のウェブブラウザ部６のウェブ表示部７の映像表示部８に表示する。ウェブカメラ５とウェブ管理者端末２は、ウェブカメラ５の中継映像出力部がウェブ管理者端末２の入力部に接続され、ウェブ管理者端末２のウェブブラウザ上に中継映像を表示可能であるウェブカメラ５とウェブ管理者端末２の接続方式であれば、USB方式やPS-2方式やネットワーク接続方式等いずれの接続方法でも良く、有線でも無線でも良い。
また、ウェブカメラ５は、ウェブ管理者端末２に接続し、ウェブ管理者端末２のウェブブラウザ上に中継映像を再生することが可能であれば、監視用ウェブカメラや会議用やチャット用に利用されるウェブカメラやウェブカメラ機能のあるホームビデオのいずれのウェブカメラであっても良い。
【００３３】
なお、ウェブカメラ５は、 ホームページ作成・更新作業を行うウェブ管理者端末２と
同一作業場所に設置利用され、かならずしも机上や三脚に固定されている必要はない。
【００３４】
また、本事例説明では、ウェブカメラ５は、USB接続方式のウェブカメラ１台として説明するが、ウェブ管理者端末２でウェブカメラの切替を可能とする場合には、複数台のウェブカメラが接続されている場合であっても良い。
【００３５】
ウェブサーバ：
図１に示すように、ウェブサーバ３は、ウェブデータ入力部１７とウェブアドレスデータ・認識部１８、画像処理・画像取得システム部１９とウェブデータプログラム処理部２０とウェブデータ格納部２１等を備えている。また、ウェブサーバ３は、入力部や出力部やCPUや記憶部や通常ウェブサーバとして機能するプログラムを備えている。
【００３６】
このうち、ウェブデータ入出力部１７は、インターネット１を介して、ウェブ管理者端末２と利用者端末４に接続されており、ウェブ管理者端末２と利用者端末４とのデータの入出力を処理する。
【００３７】
ウェブアドレスデータ・認識部１８は、ウェブデータのアドレス管理とウェブ管理者端末２や利用者端末４から、入力されるウェブアドレスやウェブ管理者のIDやパスワードを認識処理する。本発明に係るウェブカメラ画像取得ホームページ作成・更新システムは、IDやパスワードの権限を与えられたホームページの管理者だけが行なうことが可能となる。
【００３８】
画像処理・画像取得システム部１９は、画像処理・画像取得プログラム１５を格納しており、ウェブ管理者端末２からのアクセスを可能とするホームページアドレス（URL）を有している。ウェブ管理者端末２から画像処理・画像取得システム部１９のホームページアドレス（URL）にアクセスする場合には、該ホームページアドレスにアクセスするためのIDやパスワードを設ける設計や、予め一のホームページを作成・更新するためのホームページにIDやパスワードを設けアクセスし、該予め一のホームページを作成・更新するためのホームページにリンクを設置してリンクにより画像処理・画像取得システム部１９のホームページアドレス（URL）にアクセスする設計としても良い。
【００３９】
また、 画像処理・画像取得プログラム１５は、ウェブ管理者端末２からの一のホームページの作成又は更新するために画像処理・画像取得システムのホームページアドレスにアクセスすると、インターネットを介してウェブサーバ３の画像処理・画像取得システム部１９からウェブ管理者端末２のウェブブラウザ部６のプログラム格納部１４に画像処理・画像取得プログラム１５が格納される。
【００４０】
なお、ウェブサーバ３の画像処理・画像取得システム部１９の画像処理・画像取得プログラム１５とウェブ管理者端末２のウェブブラウザ部６のプログラム格納部１４の画像処理・画像取得プログラム１５は、同一のプログラムであるが、該画像処理・画像取得プログラム１５は、ウェブ管理者端末２のウェブブラウザ部６で稼動するプログラムである。
【００４１】
ここで、ウェブサーバ３の画像処理・画像取得システム部１９の画像処理・画像取得プログラム１５を図１と図２〜図６で説明する。
【００４２】
図２において、図１の画像処理・画像取得プログラム１５は、映像表示プログラム２２と画像取得プログラム２３と画像処理プログラム部２４とを有し、図１のウェブ管理者端末２から一のホームページの作成又は更新するために画像処理・画像取得システム１９のホームページアドレスにアクセスすると、インターネットを介してウェブサーバ３の画像処理・画像取得システム部１９の画像処理・画像取得プログラム１５がウェブ管理者端末２のウェブブラウザ部６のプログラム格納部１４に格納され、同時にウェブブラウザ部６で稼動する。
【００４３】
図２の映像表示プログラム２２は、
図１のウェブカメラ５の画像の連続再生である映像信号をウェブ管理者端末２のウェブブラウザ部６で感知入力し、ウェブ表示部７の映像表示部８に連続画像表示することを可能とプログラムである。
ウェブブラウザ部６のウェブ表示部７への映像表示部８の表示は、図１では、ウェブ表示部７の映像表示部８として記載されているが、図３のウェブブラウザ部４０の表示においては、映像表示部４４としてウェブ表示部４３上に表示される。
【００４４】
図２の画像取得プログラム２３は、映像表示プログラム２２によって、図１のウェブブラウザ部６のウェブ表示部７の映像表示部８に画像表示された連続再生される画像を、図２の画像処理プログラム２４で画像処理を行った後に、ホームページ発信に利用できる画像規格への変換と画像データの圧縮と画像取得と図１のウェブサーバ３への送信を同時に処理することを可能とするプログラムである。図１では、ウェブ表示部７の画像取得部１０として記載しているが、図３では、画像取得５２のボタン又は文字リンクとしてウェブ表示部４３に表示される。
【００４５】
ここで、画像取得プログラム２３における前記画像規格への変換とは、事例としてビットマップ画像からJPEG形式等への画像規格変換であり、画像圧縮も同時に行う。
【００４６】
図２の画像処理プログラム２４は、
図１のウェブ表示部７の映像表示部８に画像表示された連続再生される画像の画像解像度を調整することを可能とする画像解像度調整プログラム２５と、
図１のウェブ表示部７の映像表示部８に画像表示された連続再生される画像の明暗を調整可能とする画像明暗調整プログラム２６と、
図１のウェブ表示部７の映像表示部８に画像表示された連続再生される画像の画像範囲指定とサイズ調整を調整可能とする画像範囲指定・サイズ調整プログラム２７と、
図１のウェブ表示部７の映像表示部８に画像表示された連続再生される画像のコントラストを調整可能とする画像コントラスト調整プログラム２８と、
図１のウェブ表示部７の映像表示部８に画像表示された連続再生される画像の彩度を調整可能とする画像彩度調整プログラム２９と、
図１のウェブ表示部７の映像表示部８に画像表示された連続再生される画像のシャープを調整可能とする画像シャープ調整プログラム３０とを有し、図１では、ウェブ表示部７の画像処理部９であり、図３では、画像処理部４５として、ウェブ表示部４３に操作イメージとして表示される。
【００４７】
図２の画像解像度調整プログラム２５は、図３のウェブブラウザ部４０のウェブ表示部４３に表示される画像処理部４５の画像解像度調整操作イメージ４６を調整操作することによって、該ウェブ表示部４３の映像表示部４４の連続再生する画像の画像表示画面サイズが拡大・縮小され、該連続再生する画像の画像表示画面サイズが拡大・縮小によって、画像解像度を調整することを可能とする。
【００４８】
図４において、画像解像度４６の調整操作による具体的な機能は、ウェブブラウザ部４０のウェブ表示部４３に画像解像度４６のように表示され、画像解像度４６の操作イメージであるスライダーバーを地点Xから地点Y方向に操作するとウェブ表示部４３上の
映像表示部４４が、a映像表示枠からAの矢印のように表示枠画面が漸次縮小し、c映像表示枠の映像表示部となることにより、通常、パソコンにインストールして利用する画像処理ソフトの画像解像度の処理と同じ機能となることを可能とする。
【００４９】
図５では、画像解像度４６の操作イメージであるスライダーバーを地点Xから地点Y方向に操作した場合における映像表示部４４の画面変化を表示しているものであり、
最初にウェブ表示部４３に表示される映像表示部４４は、a枠画面であり、図４の画像解像度４６の操作イメージであるスライダーバーを地点Xから地点Y方向に操作した場合には、漸次、a映像表示枠画面からb映像表示枠画面、ｃ映像表示枠画面のように変化していくことを可能とすることにより、図２の画像解像度調整プログラム２５において、図４の映像表示部４４に表示される連続再生される画像の画像解像度の調整を可能とする。
【００５０】
図２の画像明暗調整プログラム２６は、図３のウェブブラウザ部４０のウェブ表示部４３の画像処理部４５に表示される明暗調整操作イメージ４７のスライダーバーを調整操作することによって、通常、パソコンにインストールして利用する画像処理ソフトの画像明暗調整の処理と同じ機能となることを可能とする。
【００５１】
図２の画像コントラスト調整プログラム２８は、図３のウェブブラウザ部４０のウェブ表示部４３の画像処理部４５に表示されるコントラスト操作イメージ４８のスライダーバーを調整操作することによって、通常、パソコンにインストールして利用する画像処理ソフトのコントラストの処理と同じ機能となることを可能とする。
【００５２】
図２の画像彩度調整プログラム２９は、図３のウェブブラウザ部４０のウェブ表示部４３の画像処理部４５に表示される彩度調整操作イメージ４９のスライダーバーを調整操作することによって、
通常、パソコンにインストールして利用する画像処理ソフトの画像彩度の処理と同じ機能となることを可能とする。
【００５３】
図２の画像シャープ調整プログラム３０は、図３のウェブブラウザ部４０のウェブ表示部４３の画像処理部４５に表示されるシャープ調整操作イメージ５０のスライダーバーを調整操作することによって、通常、パソコンにインストールして利用する画像処理ソフトの画像シャープの処理と同じ機能となることを可能とする。
【００５４】
なお、図３のウェブブラウザ部４０のウェブ表示部４３の画像処理部４５に表示される明暗調整操作イメージ４７やコントラスト操作イメージ４８や彩度調整操作イメージ４９やシャープ調整操作イメージ５０は、調整操作にスライダーバーを利用しているが各操作の度数を各プログラムに伝達できる方法であれば、数値の選択又は数値の直接入力方法等その方法を問わない。
【００５５】
図２の画像範囲指定・サイズ調整プログラム２７は、図６のウェブブラウザ部４０のウェブ表示部４３の映像表示部４４に連続再生される画像がa枠画面のように被写体としてトマトとピーマンが表示されている場合に、映像表示部４４のa枠画面の任意の範囲をマウスで指定するとｂ枠画面のようにピーマンの部分を指定した範囲をレイヤー表示又は枠表示することを可能とし、該レイヤー表示された範囲の縦と横の数値がウェブブラウザ部４０のウェブ表示部４３の画像サイズ調整５１の数値入力枠に数値として表示されることを可能とする。すなわち、通常、パソコンにインストールして利用する画像処理ソフトの画像切り取り機能と同じ機能によって、必要な画像範囲の画像切り取りと画像サイズ調整の処理を行うことを可能とする。
【００５６】
また、図２の画像範囲指定・サイズ調整プログラム２７は、図６のウェブブラウザ部４０のウェブ表示部４３の画像サイズ調整５１の数値入力枠に、画像取得したい縦と横の画像サイズの数値を直接入力すると映像表示部４４の画像表示枠a枠が、入力した数値の画像表示枠に変更となり、画像サイズ調整５１の数値入力枠への数値入力により、画像サイズ調整を可能とする。すなわち、通常、パソコンにインストールして利用する画像処理ソフトのサイズ調整の処理と同じ機能となることを可能とする。
【００５７】
また、図２において画像処理プログラム２４は、レイヤー表示プログラム部３２と文字挿入処理プログラム部３３と画像色塗り処理プログラム部３４と画像・レイヤー表示統合プログラム部３５とを有する画像色塗り・文字挿入プログラム３１を有する。
【００５８】
ここで、前記レイヤー表示プログラム部３２は、図３のウェブブラウザ部４０のウェブ表示部４３の映像表示部４４の映像表示画面上にレイヤー表示することを可能とするプログラムであり、文字挿入処理プログラム部３３は、映像表示部４４の映像表示画面上のレイヤー表示に文字を挿入することを可能とするプログラムであり、画像色塗り処理プログラム部３４は、映像表示部４４の映像表示画面上のレイヤー表示に映像表示部４４に画像表示された連続再生される画像上の色塗りを可能とするプログラムであり、画像・レイヤー表示統合プログラム部３５は、映像表示部４４の画像とレイヤー表示を統合する画像処理を可能とするプログラムであり、画像取得部１０で画像取得の操作が行われた場合、映像表示部４４の画像と画像色塗り又は文字挿入されたレイヤー表示を統合した画像がホームページに利用する画像として規格変換・圧縮・画像取得され、同時にウェブサーバ３に送信されることを可能とする。
【００５９】
すなわち、通常パソコンにインストールして利用する画像処理ソフトをウェブ管理者端末にインストールしなくても画像調整や画像加工の画像処理を行なうことができるようになる。
【００６０】
なお、画像処理プログラム部２４の画像色塗り・文字挿入プログラム３１は、ウェブカメラ画像取得ホームページ作成・更新システムの構築において画像処理プログラム部２４に設置しない設計としても良い。
【００６１】
次にウェブデータプログラム処理部２０は、ウェブ管理者端末２のウェブブラウザ部６のウェブ表示部７の画像取得部１０からホームページに利用する画像としてインターネットを介して受信した取得画像データにファイル名を付加しホームページ画像データとする処理機能やHTMLプログラムソースの生成機能やホームページページ作成プログラムを格納する機能やファイルマネージャープログラム機能を有することも可能とする。
【００６２】
ここで、前記取得画像データにファイル名を付加しホームページ画像データとする処理機能とは、例えば、ファイル名の無い画像データに「yasai」というファイル名をつける場合に「yasai-1.jpg」というホームページ画像データを生成することであり、ファイル名はプログラムにより自動生成するか、ウェブ管理者が入力方法によって決定するかは問わない。ファイル名を自動的に生成する場合には、ウェブデータプログラム処理部２０に一定規則の記号と数値のファイル名を付加するプログラムが設置され、また、ファイル名をウェブ管理者が入力する場合には、ウェブブラウザ部６のウェブ表示部７にファイル名入力枠を設け、画像取得と同時にファイル名をウェブデータプログラム処理部２０で受信することにより可能である。
【００６３】
また、前記HTMLプログラムソースの生成機能とは、例えば、前記ホームページ画像データをホームページ上に表示するHTMLプログラムソースとして、「<img src=" yasai-1.jpg">」を生成することであり、画像の位置配置等のHTMLプログラムソース生成もあり、画像表示HTMLプログラムソースの生成に限定されない。
【００６４】
また、前記ホームページ作成プログラムを格納する機能とは、一定のホームページを作成又は更新するために予めホームページのデータを入力するためのフォーマットとして、ウェブデータプログラム処理部２０に格納されているホームページページ作成プログラムでありURLを有しており、ウェブ管理者端末２からホームページページ作成プログラムのURLにアクセスすると該プログラムは、ウェブ管理者端末２のウェブブラウザ部６で稼動し、同時に図７のウェブブラウザ部６０のウェブ表示部６３のように表示される。
【００６５】
また、前記ファイルマネージャープログラム機能とは、ウェブサーバにFTPソフトを使用してデータを転送しなくてもウェブ管理画面からデータの追加・削除を行うことができる機能であり、ウェブデータ格納部２１に格納されたホームページ画像データをファイルマネージャーウェブ管理画面でファイルデータを一覧管理する機能である。
【００６６】
ウェブデータ格納部２１は、ウェブデータプログラム処理部２０で処理されたホームページ画像データや生成されたHTMLファイルやホームページ作成プログラムを格納する機能を有する。
【００６７】
また、ウェブデータ格納部２１は、ウェブデータプログラム処理部２０で処理されたホームページ画像データや生成されたHTMLファイルを格納する場合にファイルマネージャプログラム管理データとして格納することも可能とする。
【００６８】
なお、ウェブデータ格納部２１は、通常のホームページ作成更新作業において、FTPソフト（ファイル転送ソフト）を利用し、ウェブ管理者端末からファイル転送されるHTMLファイルや画像ファイルやホームページ上で稼動するプログラムを格納する機能を有する。
【００６９】
また、前記ウェブサーバ３は、ウェブ管理者が事業所内に設置して運営するウェブサーバやサーバ管理業者がサービス提供するレンタルのウェブサーバであっても良い。
【００７０】
（作用）
本発明に係るウェブカメラ画像取得ホームページ作成・更新システムの構成をさらに明確にするために、図１〜７と、図８〜１０に示すフローチャートを参照して、本発明の作用を説明する。
管理者端末のウェブブラウザ部へのウェブカメラの映像表示：
ウェブ管理者端末に接続されたウェブカメラの映像をウェブ管理者端末からインターネットを介してウェブサーバの画像処理・画像取得システム部の画像処理・画像取得システムへアクセスすることにより、ウェブ管理者端末のウェブブラウザ部のウェブ表示部の映像表示部に映像表示することを可能とするプロセスについて図１と図２と図３と図８（イ）〜（へ）に沿って説明する。
【００７１】
（イ）ウェブ管理者端末２の操作者（以下、単に「操作者」という。）は、ウェブ管理者端末２を始動し、ウェブ管理者端末２の表示部にウェブブラウザ部（以下Webブラウザと言う）を表示し作業をスタートする。
【００７２】
（ロ）図３においてWebブラウザのウェブブラウザアドレス入力・表示部４０（アドレス入力枠４０という。）に図１のウェブサーバ３の画像処理・画像取得システム部１９の画像処理・画像取得システムのURLを入力すると、インターネット１を介して、該URLがウェブサーバ３のウェブデータ入出力部１７へ送信され、ウェブデータ入出力部１７からウェブアドレスデータ・認識部１８に送信され、該ウェブアドレスデータ・認識部１８で該URLを認識し、該URL認識信号を画像処理・画像取得システム部１９に送信する。
【００７３】
なお、ウェブ管理者端末２から画像処理・画像取得システム部１９のURLにアクセスする場合には、該URLにアクセスするためのIDやパスワードを設ける設計や、予め一のホームページを作成・更新するためのホームページ（ホームページ作成プログラムによるホームページ作成フォーマット）にIDやパスワードを設けアクセスし、該予め一のホームページを作成・更新するためのホームページにリンクを設置してリンクにより画像処理・画像取得システム部１９のURLにアクセスする設計としても良い。
【００７４】
（ハ）画像処理・画像取得システム部１９は、前記URL認識信号を受信し、同時に
画像処理・画像取得システムのホームページと画像処理・画像取得プログラム１５をインターネット１を介してウェブ管理者端末２のウェブブラウザ部６（Webブラウザ）へ送信し、ウェブブラウザ部６に画像処理・画像取得プログラム１５に格納する。
【００７５】
前記画像処理・画像取得システムのホームページと画像処理・画像取得プログラム１５は、同一のプログラムとしても良い。
【００７６】
（ニ）管理者端末２のウェブブラウザ部６のプログラム格納部１４に格納された画像処理・画像取得プログラム１５は、プログラム格納部１４への格納と同時に起動し、ウェブブラウザ部６のウェブ表示部７に映像表示部８と画像処理部９と画像取得部１０を表示するホームページを表示し、予めウェブ管理者端末２の入力部に接続されているウェブカメラ５の画像の連続再生される映像信号をウェブブラウザ部６が感知取得し、ウェブ表示部７の映像表示部８にウェブカメラ５の画像の連続再生される映像を表示する。
【００７７】
以上で、ウェブ管理者がウェブサーバ３の画像処理・画像取得システム部１９の画像処理・画像取得システムへアクセスすることにより、ウェブ管理者端末２のウェブブラウザ部６のウェブ表示部７の映像表示部８にウェブカメラ５の映像を表示することを可能とするプロセスは完了する。
【００７８】
画像処理と画像取得とウェブサーバへの画像登録：
ウェブ管理者端末２のウェブブラウザ部６の映像表示部８にウェブカメラ５の映像表示された画像の画像処理と該画像処理した画像の画像取得と取得画像をウェブサーバ３のウェブデータプログラム処理部２０へ送信し、ホームページ画像データとして処理し、ウェブデータ格納部に登録するプロセスについて図１〜図３と図９（イ）〜（ト）に沿って説明する。
（イ）既にウェブカメラ５の被写体の映像が、ウェブ管理者端末２のウェブブラウザ部６のウェブ表示部７の映像表示部８に表示されている状態である図３のウェブブラウザ部４０の表示画面をスタート画面として作業をスタートする。
【００７９】
（ロ）ウェブ管理が、画像処理画面である図面３において、ウェブ表示部４３上の画像処理部４５の画像解像度４６、明暗４７、コントラスト４８、彩度４９、シャープ５０の操作イメージであるスライダーバーを操作することにより、映像表示部４４上の画像の画像解像度、明暗、コントラスト、彩度、シャープを調整処理する。また、画像サイズの調整処理は、サイズ５１に直接必要とする画像の縦と横のサイズの数値入力をするか、又は図６のように映像表示部４４の表示枠a枠の枠内の必要とする被写体の任意の範囲をb枠のようにマウスで指定することによって映像表示部４４に表示された画像を画像処理する。
【００８０】
また、図２における画像色塗り・文字挿入プログラム３１の文字挿入処理プログラム部３３や画像色塗り処理プログラム部３４や画像・レイヤー表示統合プログラム部３５は、図３のウェブブラウザ部４０のウェブ表示部４３上に、文字挿入や画像色塗りや画像・レイヤー表示統合の操作機能をイメージ表示し、各操作機能を操作し、ウェブブラウザ部４０のウェブ表示部４３の映像表示部４４に表示された画像を画像処理する。
【００８１】
（ハ）図３において、ウェブ管理者端末のウェブブラウザ部４０のウェブ表示部４３の映像表示部４４に表示された画像を画像処理した後に、ホームページに利用する画像を画像取得するために、ウェブ表示部４３上の画像取得５２の画像ボタン又は文字表示をクリックすると画像処理されたホームページに利用する画像が、ホームページに利用される画像規格に変換と圧縮され、同時に画像取得され、同時にウェブサーバ３に送信される。
【００８２】
(ニ)図１において、ウェブ管理者が画像取得を実施し、同時にウェブサーバ３にホームページに利用する画像を送信すると、ウェブサーバ３のウェブデータ入出力部１７で該ホームページに利用する取得画像を受信し、該取得画像をウェブアドレスデータ・認識部１８を介して、ウェブデータプログラム処理部２０へ送信し、ウェブデータプログラム処理部２０が該取得画像を受信する。
【００８３】
（ホ）ウェブデータプログラム処理部２０で、該取得画像受信し、
該取得画像にウェブ表示が可能なファイル名を付加し、該ファイル名を付加しホームページデータとして処理した画像データをウェブデータ格納部２１に送信する。
【００８４】
（ヘ）ウェブデータ格納部２１は、ウェブデータプログラム処理部２０でホームページデータとして処理した画像データを格納する。
【００８５】
（ト）ウェブ管理者端末２のウェブブラウザ部６のウェブ表示部７の映像表示部８にウェブカメラ５の映像表示された画像の画像処理と該画像の画像取得と取得した画像をウェブサーバ３のウェブデータプログラム処理部２０へ送信し、ホームページ画像データとして処理し、ウェブデータ格納部２１に登録するプロセスは完了する。
【００８６】
なお、画像処理と画像取得とウェブサーバへの画像登録のプロセスは、ウェブカメラ５から取得した画像をホームページ作成更新作業に利用するためのプロセスであるが、実際の作業では該画像処理と画像取得とウェブサーバへの画像登録のプロセスで終了することも可能とする。すなわち、ホームページ作成更新作業の事前にホームページに利用する画像をウェブサーバに登録しておくことを可能とするものであり、画像の説明の文字情報を後で作成する場合や出先においてノートパソコンや携帯可能な会議用やチャット用ウェブカメラやウェブカメラ機能付きホームビデオ等携帯可能なウェブカメラを利用して行う場合に利用できるものとする。
【００８７】
ホームページ画像データとホームページデータ生成とホームページの作成更新：
ウェブ管理者端末２のウェブブラウザ部６のウェブ表示部７の映像表示部８にウェブカメラ５の映像表示された画像の画像処理と該画像の画像取得を実施し、同時に取得した画像をウェブサーバ３のウェブデータプログラム処理部２０へインターネットを介して送信し、ホームページ画像データとして処理し、ウェブデータ格納部に登録し、別途、ホームページ作成プログラムが稼動し、該ホームページ作成プログラムのホームページに文字データを入力し、画像と文字データを含めたホームページデータを生成し登録するプロセスについて図１〜図３と図７と図１０（イ）〜（ル）に沿って説明する。
【００８８】
図１０のプロセスにおいて（イ）〜(へ)のプロセスは、前記画像処理と画像取得とウェブサーバへの画像登録のプロセスと同じであるため、前記画像処理と画像取得とウェブサーバへの画像登録のプロセスの（イ）をスタートとし、以下、（ト）からプロセスを記載する。
【００８９】
（ト）図１において、ウェブデータプログラム処理部２０は、ウェブ管理者端末２のウェブブラウザ部６のウェブ表示部７の画像取得部１０で、画像取得した取得画像を、
ウェブサーバ３のウェブデータ入出力部１７を介して、ウェブデータプログラム処理部２０で受信し、
該取得画像にウェブ表示が可能なファイル名を付加し、該ファイル名を付加しホームページデータとして処理した画像データを前記ウェブデータ格納部２１に送信し、ウェブデータ格納部２１に格納し、
同時に前記ファイル名を付加した画像データをウェブ表示可能とするウェブページ作成プログラムを生成し、
該ファイル名を付加した画像データのウェブ表示プログラムソースを組み込んだ一のホームページの作成及び更新のためのホームページページ作成プログラム（ホームページ作成更新フォーマット）をウェブ管理者端末２のウェブブラウザ部６で受信し、ウェブブラウザ部６のプログラム格納部１４に格納し、ウェブ表示部７にウェブページ作成プログラム１６のウェブページ作成部１１を表示する。図７のウェブブラウザ部６０は、ウェブページ作成プログラム１６をウェブページ作成部１１として表示した画面である。
【００９０】
なお、ウェブページ作成プログラム１６により表示されるウェブページは、新規作成又は更新されるウェブページの定型的なフォーマットであり、予め新規作成又は更新されるウェブページのフォーマットはウェブデータプログラム処理部２０に設置されており、ウェブページ作成プログラム１６のプログラムソースには、ウェブデータプログラム処理部２０で取得画像にファイル名を付加した画像表示するためのプログラムソースが組み見込まれている。
【００９１】
よって、作業プロセス（ト）においてウェブページ作成プログラム１６がウェブページ作成部１１としてウェブ表示される画面には、図７のウェブブラウザ部６０のページ利用画像表示６４のようにウェブサーバ３のウェブデータ格納部２１に格納した前記ホームページデータとして処理した画像データがインターネットを介して表示される。
例えば、図３のウェブブラウザ表示画面で、トマトとピーマンの被写体として画像取得を実施した場合に、取得した画像データに「yasai-1.jpg」とファイル名が付加された場合に、予め作成又は更新するウェブページの定型的なウェブページ作成プログラムに画像を表示可能とするプログラムソースである「<img src=" yasai-1.jpg">」が挿入されている。
【００９２】
（チ）ウェブ管理者端末２に該ウェブ作成プログラムをウェブブラウザ部へ送信し、ウェブ表示部にウェブページ作成プログラムにより表示されたウェブページには、格納部に格納された前記ファイル名を付加しホームページデータとして処理した画像データが図７のページ利用画像表示６４のように表示されており、また、図７のページ利用文字入力枠６６のように文字入力枠が表示されており、文字入力枠にホームページに利用する文字を入力し、
入力した文字とページ利用画像表示６４のページ上の画像配置調整部６５によって画像のレイアウト位置を調整し、画像配置調整を行ったホームページデータを作成し、ウェブページ作成送信ボタン又はリンクを押すとインターネットを介してウェブサーバ３に該ホームページデータが送信される。
【００９３】
（リ）前記（チ）のホームページデータは、図１において、ウェブサーバ３のウェブデータ入出力部１７へ送信され、ウェブデータ入出力部１７からウェブアドレスデータ・認識部１８を介してウェブデータプログラム処理部２０で受信し、ホームページデータをホームページに表示するデータとして処理してウェブデータ格納部２１に送信する。
【００９４】
（ヌ）ウェブデータ格納部は、ウェブデータプログラム処理部２０から受信したホームページに表示するデータを格納する。
【００９５】
（ル）ホームページ画像データとホームページデータ生成とホームページの作成更新す    るプロセスは完了する。
【００９６】
以上によって、零細事業者である八百屋の店主がウェブ管理者として、店舗内のトマトやピーマンをウェブカメラを使用して、事業所内のパソコンのウェブブラウザ画面上に
映像表示して、ウェブブラウザ画面上で画像処理の作業を実施し、ホームページに利用する画像を取得し、ホームページの作成や更新したデータを容易にウェブサーバ上にアップすることが可能となる。
【００９７】
以上、本発明を実施するための最良の形態を実施例に基づいて説明したが、本発明はこのような実施例に限定されるものではなく、特許請求の範囲に記載された技術的事項の範囲内で、頻繁な画像の差し替えを伴う商品データベースや画像アルバムやアーカイブ等の画像データベース構築等いろいろな実施例があることは言うまでもない。
【産業上の利用可能性】
【００９８】
本発明に係るウェブカメラ画像取得ホームページ作成・更新システムは、以上のようにウェブ管理者は、ウェブ管理者端末のウェブブラウザにウェブカメラの映像を表示し、その連続再生される画像からホームページに利用する画像を取得し、画像処理を行ない、その画像取得した取得画像をインターネットを介してウェブサーバに送信し、ホームページ作成に必要なデータをウェブサーバに構築することができ、デジタルカメラによる個別商品の撮影やそのデータの利用者端末での画像処理ソフトによる画像処理作業やFTP作業等面倒な作業がなくなり、中小零細企業者等が画像の付いたホームページの作成や更新作業を可能なほか、ウェブサーバのシステムとしてレンタルサーバサービスやショッピングサイトやオークションサイトへの適用が可能となる。
【図面の簡単な説明】
【００９９】
【図１】本発明のウェブカメラ画像取得ホームページ作成・更新システムの実施例１の全体構成を示すブロック図である。
【図２】ウェブカメラ画像取得ホームページ作成・更新システム画像処理・画像取得プログラムの全体構成を示すブロック図である。
【図３】実施例１において、ウェブカメラの映像表示と画像処理部と画像取得部を表示したウェブブラウザの画面を示す図である。
【図４】実施例１において画像処理部の画像解像度の調整を説明する図である。
【図５】実施例１において画像処理部の画像解像度の調整を行った場合における映像表示枠の変更を説明する図である。
【図６】実施例１において画像処理部の任意範囲の画像取得と画像サイズ調整を説明する図である。
【図７】実施例１において、ホームページデータを入力しホームページを作成するウェブブラウザの画面を示す図である。
【図８】実施例１のウェブカメラの管理者端末のウェブブラウザ部への映像表示プロセスのフローチャートである。
【図９】実施例１の画像処理と画像取得とウェブサーバへの画像登録プロセスのフローチャートである。
【図１０】実施例１のホームページ画像データとホームページデータ生成とホームページの作成更新プロセスのフローチャートである。
【符号の説明】
【０１００】
１ インターネット 
２ ウェブ管理者端末
３ ウェブサーバ
４ 利用者端末
５ ウェブカメラ
６ ウェブブラウザ部
７ ウェブ表示部
８ 映像表示部
９ 画像処理部 
１０ 画像取得部
１１ ウェブページ作成部
１２ ウェブページ作成送信部
１３ ウェブブラウザ操作部
１４ プログラム格納部
１５ 画像処理・画像取得プログラム
１６ ウェブページ作成プログラム
１７ ウェブデータ入出力部
１８ ウェブアドレスデータ・認識部
１９ 画像処理・画像取得システム部
２０ ウェブデータプログラム処理部
２１ ウェブデータ格納部
２２ 映像表示プログラム 
２３ 画像取得プログラム 
２４ 画像処理プログラム部
２５ 画像解像度調整プログラム
２６ 画像明暗調整プログラム
２７ 画像範囲指定・サイズ調整プログラム
２８ 画像コントラスト調整プログラム
２９ 画像彩度調整プログラム
３０ 画像シャープ調整プログラム
３１ 画像色塗り・文字挿入プログラム
３２ レイヤー表示プログラム部
３３ 文字挿入処理プログラム部
３４ 画像色塗り処理プログラム部
３５ 画像・レイヤー表示統合プログラム部
４０ ウェブブラウザ部
４１ ウェブブラウザ操作部
４２ ウェブブラウザアドレス入力・表示部
４３ ウェブ表示部
４４ 映像表示部
４５ 画像処理部
４６ 画像解像度
４７ 明暗
４８ コントラスト
４９ 彩度
５０ シャープ
５１ サイズ
５２ 画像取得
a  a映像表示枠画面
b  b映像表示枠画面
c  c映像表示枠画面
６０ ページ利用画像表示
６１ 画像配置調整部
６２ ページ利用文字入力枠
６３ ウェブページ作成送信
【図１】
2009025912.tif 000003
【図２】
2009025912.tif 000004
【図３】
2009025912.tif 000005
【図４】
2009025912.tif 000006
【図５】
2009025912.tif 000007
【図６】
2009025912.tif 000008
【図７】
2009025912.tif 000009
【図８】
2009025912.tif 000010
【図９】
2009025912.tif 000011
【図１０】
2009025912.tif 000012